(57)【特許請求の範囲】
【請求項１】
第１、第２及び第３の原色光に基づいてカラー表示をなすカラー表示装置であって、
複数の第１電極線と、
前記複数の第１電極線と間隙をもって交差する複数の第２電極線と、
前記水平走査周期毎に前記複数の第１電極線のうちのいずれかを選択し、選択した前記第１電極線に所定電圧を印加するとともに、各前記水平走査周期内に前記複数の第２電極線の各々に所定電圧を印加する駆動部と、
マトリクス状に配置されかつ各々が前記複数の第１電極線のうちのいずれか１つと前記複数の第２電極線のうちのいずれか１つとに接続されている複数の発光素子とを有し、
前記複数の発光素子は、前記駆動部により前記第１及び第２電極線を介して供給される順方向電圧に応じて第１、第２及び第３の原色光をそれぞれ発する第１、第２及び第３の発光素子群からなり、
前記駆動部は、前記発光素子群毎に異なる第１、第２及び第３の逆方向電圧をそれぞれ前記第１、第２及び第３の発光素子群に供給する電圧源を備えることを特徴とするカラー表示装置。
【請求項２】
前記発光素子は、前記順方向電圧が印加されることにより発光可能とする駆動電流が流れかつ前記逆方向電圧が印加されることによって当該駆動電流が遮断される特性を有することを特徴とする請求項１記載のカラー表示装置。
【請求項３】
前記複数の第２電極線は、前記第１、第２及び第３の発光素子群毎に独立に設けられた電極線からなることを特徴とする請求項１または２記載のカラー表示装置。
【請求項４】
前記発光素子は、前記順方向電圧が印加されることにより発光可能とする駆動電流が流れかつ前記逆方向電圧が印加されることによって当該駆動電流が遮断される特性を有し、
前記駆動部は、前記第２電極線に、前記第１、第２及び第３の発光素子群毎に前記順方向電圧を供給可能であることを特徴とする請求項３記載のカラー表示装置。
【請求項５】
各画素形成ブロックは、互いに隣接して配された前記第１、第２及び第３の発光素子の組によって構成され、
前記駆動部は、前記複数の第１電極線のうち、前記水平走査周期毎に、前記画素形成ブロックの前記第１、第２及び第３の発光素子にそれぞれ接続されている３つの電極線を選択する手段と、前記第１、第２及び第３の発光素子に前記順方向電圧が供給されるよう選択された前記３つの電極線に所定電圧を印加する第２の電圧源とを備えることを特徴とする請求項１ないし４のうちのいずれか１項に記載のカラー表示装置。
【請求項６】
第１、第２及び第３の原色光に基づいてカラー表示をなすカラー表示装置であって、
複数の第１電極線と、
前記複数の第１電極線と間隙をもって交差する複数の第２電極線と、
前記水平走査周期毎に前記複数の第１電極線のうちのいずれかを選択し、選択した前記第１電極線に所定電圧を印加するとともに、各前記水平走査周期内に前記複数の第２電極線の各々に所定電圧を印加する駆動部と、
マトリクス状に配置されかつ各々が前記複数の第１電極線のうちのいずれか１つと前記複数の第２電極線のうちのいずれか１つとに接続されている複数の発光素子とを有し、
前記複数の発光素子は、前記駆動部により前記第１及び第２電極線を介して供給される順方向電圧に応じて第１、第２及び第３の原色光をそれぞれ発する第１、第２及び第３の発光素子群からなり、
前記駆動部は、互いに異なる第１の逆方向電圧と第２の逆方向電圧とをそれぞれ前記第１の発光素子群と前記第２及び第３の発光素子群とに供給する電圧源を備えることを特徴とするカラー表示装置。
【請求項７】
前記発光素子は、前記順方向電圧が印加されることにより発光可能とする駆動電流が流れかつ前記逆方向電圧が印加されることによって当該駆動電流が遮断される特性を有することを特徴とする請求項６記載のカラー表示装置。
【請求項８】
前記複数の第２電極線は、前記第１の発光素子群のみに接続される電極線と、前記第２及び第３の発光素子群のみに接続される電極線とを含むことを特徴とする請求項６または７記載のカラー表示装置。
【請求項９】
前記発光素子は、前記順方向電圧が印加されることにより発光可能とする駆動電流が流れかつ前記逆方向電圧が印加されることによって当該駆動電流が遮断される特性を有し、
前記駆動部は、前記第２電極線に、前記第１の発光素子に対する前記順方向電圧と前記第２及び第３の発光素子に対する前記順方向電圧とを個別に供給可能であることを特徴とする請求項８記載のカラー表示装置。
【請求項１０】
各画素形成ブロックは、互いに隣接して配された前記第１、第２及び第３の発光素子の組によって構成され、
前記駆動部は、前記複数の第１電極線のうち、前記水平走査周期毎に、前記画素形成ブロックの前記第１、第２及び第３の発光素子にそれぞれ接続されている３つの電極線を選択する手段と、前記第１、第２及び第３の発光素子に前記順方向電圧が供給されるよう選択された前記３つの電極線に所定電圧を印加する第２の電圧源とを備えることを特徴とする請求項６ないし９のうちのいずれか１項に記載のカラー表示装置。
【請求項１１】
前記駆動部は、前記複数の第１電極線のうち、非選択の電極線に前記逆方向電圧を供給することを特徴とする請求項５または１０記載のカラー表示装置。
【請求項１２】
前記発光素子は、有機ＥＬ素子であることを特徴とする請求項１ないし１１のうちいずれか１つに記載のカラー表示装置。
【請求項１３】
前記第１の原色光は、赤色光であり、前記第２の原色光は、緑色光であり、前記第３の原色光は、青色光であることを特徴とする請求項１ないし１２のうちいずれか１つに記載のカラー表示装置。
【請求項１４】
前記第１、第２及び第３の発光素子は、それぞれ赤色光、緑色光、青色光を発光することを特徴とする請求項１ないし１３のうちいずれか１つに記載のカラー表示装置。
【請求項１５】
前記第１、第２及び第３の発光素子は、それぞれ、光を赤色光、緑色光、青色光へ変換する色変換層を備えることを特徴とする請求項１ないし１３のうちいずれか１つに記載のカラー表示装置。
【請求項１６】
前記複数の発光素子の発光及び非発光のタイミングを示す制御信号を発生する発光制御回路と、
前記制御信号に応じて前記複数の第２電極線にアース電位を印加するリセット回路と、
を備えることを特徴とする請求項１ないし１５のうちのいずれか１項に記載のカラー表示装置。
【発明の詳細な説明】
【０００１】
【発明の属する技術分野】
本発明は、画像表示技術に関し、特にフルカラーの画像表示をなす装置及び方法に関する。
【０００２】
【従来の技術】
液晶ディスプレイに代わる低消費電力及び高表示品質並びに薄型化が可能なディスプレイとして、ＥＬ（エレクトロルミネッセンス）ディスプレイが注目されている。ＥＬディスプレイに用いられるＥＬ素子の発光層に、良好な発光特性を期待することのできる有機化合物を使用したことによって、実用に耐えうる高効率化及び長寿命化が進んだことが背景にある。
【０００３】
フルカラーの表示画像は、当該発光層に適用される有機材料を、第１、第２及び第３の原色である赤（Ｒ）、緑（Ｇ）及び青（Ｂ）の発光をなすことのできるものに選定することによって達成することができるし（ＲＧＢ法）、また、日経エレクトロニクス１９９６．１．２９（Ｎｏ．６５４）ｐｐ．９９−１０３に記載されているような、ＲＧＢ各々の色変換層を用いたＣＣＭ（Ｃｏｌｏｒ  Ｃｈａｎｇｉｎｇ  Ｍｅｄｉｕｍｓ）法などによっても達成することができる。
【０００４】
有機ＥＬ素子は、電気的には、図１のような等価回路にて表すことができる。図１から分かるように、有機ＥＬ素子は、一方の電極に接続する抵抗成分Ｒと、これに直列に結合し他方の電極と接続する容量成分Ｃと、該容量成分に並列に結合するダイオード特性の成分Ｅとによる構成に置き換えることができる。一般に、有機ＥＬ素子は、容量性の発光素子であると考えられる。
【０００５】
有機ＥＬ素子は、発光駆動電圧が印加されると、先ず、当該素子の電気容量に相当する電荷が電極に変位電流として流れ込み蓄積され、続いて当該素子固有の或る一定の電圧（障壁電圧または発光閾値）を越えると、電極（ダイオード成分Ｅの陽極側）から発光層を担う有機層に電流が流れ初め、この電流に比例した強度で発光すると考えることができる。
【０００６】
図２ないし図４は、このような有機ＥＬ素子の発光特性（Ｖ−Ｉ−Ｌ特性）を示したものである。これによれば、発光閾値を超える駆動電圧を有機ＥＬ素子に印加すれば当該駆動電圧に応じた電流に比例した発光輝度を呈し、印加される駆動電圧が発光閾値以下であれば駆動電流が流れず発光輝度もゼロに等しいままであることが分かる。
【０００７】
かかる有機ＥＬ素子を用いたカラーパネルの駆動方法としては、単純マトリクス駆動方式が適用可能であることが知られており、さらに本願と同一の出願人による特開平９−２３２０７４号公報には、走査線を切り換える直前に格子状に配された各ＥＬ素子の蓄積電荷を放出させるリセット動作を行う駆動法（以下、リセット駆動法と呼ぶ）が開示されている。
【０００８】
このリセット駆動法について図５ないし図８を参照して説明する。
画素を担うＥＬ素子Ｅ１，１  〜Ｅｎ，ｍ  は、格子状に配列され、垂直方向に沿う陽極線Ａ１  〜Ａｎ  と水平方向に沿う陰極線Ｂ１  〜Ｂｍ  との交差位置に対応して一端（上記等価回路のダイオード成分Ｅの陽極側）が陽極線に、他端（上記等価回路のダイオード成分Ｅの陰極側）が陰極線に接続される。
【０００９】
陰極線走査回路１は、各陰極線の電位を個々に定める機能を有し、より詳しくは、陰極線Ｂ１  〜Ｂｍ  に対応する走査スイッチ５１  〜５ｍ  が、電源電圧からなる逆バイアス電圧ＶＢ  （例えば１０Ｖ）及びアース電位（０Ｖ）のうちのいずれか一方を、対応する陰極線に設定する。
陽極ドライブ回路２は、各陽極線を通じて駆動電流を個々に供給する機能を有し、より詳しくは、陽極線Ａ１  〜Ａｎ  に対応して電流源２１  〜２ｎ  が設けられ、それらの出力電流がドライブスイッチ６１  〜６ｎを介して個々に陽極線Ａ１  〜Ａｎに流れるように構成される。
【００１０】
陽極線Ａ１  〜Ａｎ  はまた、陽極リセット回路３と接続される。この陽極リセット回路３は、陽極線毎に設けられたシャントスイッチ７１  〜７ｎ  を有し、該シャントスイッチがオンとされることによって陽極線をアース電位に設定する。
陰極線走査回路１、陽極ドライブ回路２及び陽極リセット回路３の各々は、発光制御回路４によって制御される。発光制御回路４は、図示せぬ画像データ発生系から供給された画像データに応じて当該画像データが担う画像を表示させるべく各回路を制御する。
【００１１】
すなわち、陰極線走査回路１に対しては、走査線選択制御信号を発生し、画像データの水平走査期間に対応する陰極線Ｂ１  〜Ｂｍ  のいずれか１つを選択してアース電位に設定し、その他の陰極線は逆バイアス電圧ＶＢ  が印加されるように走査スイッチ５１  〜５ｍ  を切り換える制御を行う。したがって走査スイッチ５１  〜５ｍ  は、水平走査期間毎に順次アース電位に切り換えられる、いわゆる線順次走査に従った切換制御がなされる。アース電位に設定された陰極線は、その陰極線に接続されたＥＬ素子を発光可能とする走査線として機能することとなる。
【００１２】
陽極ドライブ回路２は、かかる走査線に対しての発光制御を行う。発光制御回路４は、画像データが示す画素情報に従って当該走査線に接続されているＥＬ素子のどれをどのタイミングでどの程度の時間に亘って発光させるかについてを示すドライブ制御信号（駆動パルス）を発生し、陽極ドライブ回路２に供給する。陽極ドライブ回路２は、この制御信号に応じて、ドライブスイッチ６１  〜６ｎ  をオンオフ制御し、陽極線Ａ１  〜Ａｎ  を通じて画素情報に応じた該当ＥＬ素子への駆動電流の供給をなす。これにより、駆動電流の供給されたＥＬ素子は、当該画素情報に応じた発光をなすこととなる。
【００１３】
陽極リセット回路３は、リセット動作を行うためのものである。リセット動作は、発光制御回路４からのリセット制御信号に応じて行われる。陽極リセット回路３は、リセット制御信号が示すリセット対象の陽極線に対応するシャントスイッチ７１  〜７ｎ  のいずれかをオンしそれ以外はオフとする。
次に、この構成に基づくリセット駆動法の態様について説明する。
【００１４】
なお、以下に述べる動作は、陰極線Ｂ１  を走査してＥＬ素子Ｅ１，１  及びＥ２，１  を光らせた後、陰極線Ｂ２  に走査を移してＥＬ素子Ｅ２，２  及びＥ３，２  を光らせる場合を例に挙げたものである。また、説明を分かり易くするために、光っているＥＬ素子はダイオード記号にて示され、光っていない発光素子はコンデンサ記号にて示される。また、陰極線Ｂ１  〜Ｂｍ  に印加される逆バイアス電圧ＶＢ  は、装置の電源電圧と同じ１０Ｖとされている。
【００１５】
さらに、これも説明を容易とするために、図５ないし図８においては、原色の例えば赤（Ｒ）及び緑（Ｇ）の発光のみを画素毎になす態様としている。したがってＥＬ素子Ｅ１，１  及びＥ２，１  は、１つの画素を担うＲ及びＧの発光をなし、ＥＬ素子Ｅ２，２  及びＥ３，２  も他の１つの画素を担うＲ及びＧの発光をなすものである。
【００１６】
先ず、図５においては、走査スイッチ５１  が０Ｖ側に切り換えられ、陰極線Ｂ１  が走査されている。他の陰極線Ｂ２  〜Ｂｍ  には、走査スイッチ５２  〜５ｍ  により逆バイアス電圧１０Ｖが印加されている。さらに、陽極線Ａ１  及びＡ２  には、ドライブスイッチ６１  及び６２  によって電流源２１  及び２２  が接続されている。また、他の陽極線Ａ３  〜Ａｎ  には、シャントスイッチ７３  〜７ｎ  によって０Ｖが与えられている。
【００１７】
したがって、図５の場合、ＥＬ素子Ｅ１，１  とＥ２，１  のみが順方向にバイアスされ、電流源２１  及び２２  から矢印のように駆動電流が流れ込み、ＥＬ素子Ｅ１，１  及びＥ２，１  のみが発光することとなる。この図５の状態においては、コンデンサにハッチングして示されるＥＬ素子は、それぞれ図示の如き極性に充電されることとなる。この図５の発光状態から、図８に示されるようなＥＬ素子Ｅ２，２  及びＥ３，２  の発光をなす状態に走査を移行する直前に、以下のようなリセット制御が行われる。
【００１８】
すなわち、走査が図５の陰極線Ｂ1 から図８の陰極線Ｂ2 に移行する前に、先ず、図６に示すように全てのドライブスイッチ６1 〜６n をオフとするとともに、全ての走査スイッチ５1 〜５m と全てのシャントスイッチ７1 〜７n を０Ｖ側に切り換え、陽極線Ａ1 〜Ａn と陰極線Ｂ1 〜Ｂm の全てを一旦０Ｖにシャントし、０Ｖによるオールリセットを掛ける。この０Ｖによるオールリセットが行われると、陽極線と陰極線の全てが０Ｖの同電位となるので、各ＥＬ素子に充電されていた電荷は図中の矢印で示すようなルートを通って放電し、全てのＥＬ素子の充電電荷が瞬時のうちに０となる。
【００１９】
このようにして全てのＥＬ素子の充電電荷を０にした後、今度は図７に示すように、陰極線Ｂ２  に対応する走査スイッチ５２  のみを０Ｖ側に切り換え、陰極線Ｂ２  の走査を行う。これと同時に、ドライブスイッチ６２  及び６３  をして電流源２２  及び２３  を対応の陽極線に接続せしめるとともに、シャントスイッチ７１  ，７４  〜７ｎ  をオンとし、陽極線Ａ１  ，Ａ４  〜Ａｎ  に０Ｖを与える。
【００２０】
このようなスイッチの切り換えによって陰極線Ｂ２  の走査が行われると、上述したように全てのＥＬ素子の充電電荷は０とされているので、次に発光させるべきＥＬ素子Ｅ２，２  とＥ３，２  には、図７中に矢印で示したような複数のルートで充電電流が一気に流れ込み、それぞれのＥＬ素子の寄生容量Ｃが瞬時に充電されることとなる。
【００２１】
すなわち、ＥＬ素子Ｅ２，２  には、電流源２２  →ドライブスイッチ６２  →陽極線Ａ２  →ＥＬ素子Ｅ２，２  →走査スイッチ５２  のルートで充電電流が流れ込むだけでなく、走査スイッチ５１  →陰極線Ｂ１  →ＥＬ素子Ｅ２，１  →ＥＬ素子Ｅ２，２  →走査スイッチ５２  のルート、走査スイッチ５３  →陰極線Ｂ３  →ＥＬ素子Ｅ２，３  →ＥＬ素子Ｅ２，２  →走査スイッチ５２  のルート、・・・・・、走査スイッチ５ｍ  →陰極線Ｂｍ  →ＥＬ素子Ｅ２，ｍ  →ＥＬ素子Ｅ２，２  →走査スイッチ５２  のルートによっても同時に充電電流が流れ込み、ＥＬ素子Ｅ２，２  は、これら複数ルートによる豊富な充電電流によって発光閾値まで瞬時に充電されるので、図８に示す発光の定常状態に瞬時に移行できることとなる。
【００２２】
また、ＥＬ素子Ｅ３，２  も、やはり図７に示されるように複数ルートによる豊富な充電電流によって発光閾値まで瞬時に充電されるので、図８に示す発光の定常状態に瞬時に移行できる。
以上述べたように、このリセット駆動法によれば、次の走査線の発光制御に移行する前に、陰極線と陽極線の全てが一旦アース電位である０Ｖに接続されてリセットされるので、次の走査線に切り換えられた際に、発光閾値までの充電を速くし、切り換えられた走査線上の発光すべきＥＬ素子の発光の立ち上がりを早くすることができる。
【００２３】
なお、発光させるべきＥＬ素子Ｅ２，２  及びＥ３，２  以外の他のＥＬ素子についても、図７中に矢印で示したようなルートでそれぞれ充電が行われるが、これらの充電方向は逆バイアス方向であるので、ＥＬ素子Ｅ２，２  及びＥ３，２  以外の他のＥＬ素子が誤発光することはない。
また、図５〜図８の例では、駆動源として電流源２１  〜２ｎ  を用いた場合を挙げているが、電圧源を用いても同様に実現することができる。
【００２４】
さらに、リセット駆動法は、上述したような０ＶによるＥＬ素子のオールリセットをなす態様だけでなく、他の所定電圧によるリセットとする態様で実現しても良いし、必要なＥＬ素子についてのリセットをなす態様で実現しても良いことが、特開平９−２３２０７４号公報に開示されている。
ここで、図７によって示される走査切換直後の状態では、発光させるべき１つのカラー画素を形成するＥＬ素子Ｅ２，２  及びＥ３，２  には、発光閾値と目される約ＶＢ  ［Ｖ］（本例では１０Ｖ）の電圧が掛けられ、逆バイアス電圧源からの電流の流れ込みにより瞬時に充電されドライブスイッチ６２  ，６３  がオンとなってから直ちに発光できるような準備がなされるようにしている。
【００２５】
かかる準備は、赤色発光をなすＥＬ素子Ｅ２，２  に対しても、緑色発光をなすＥＬ素子Ｅ３，２  に対しても同様になされるものである。すなわち、赤用ＥＬ素子Ｅ２，２  及び緑用ＥＬ素子Ｅ３，２  共に同一の逆バイアス電圧が印加されるので、これによる各素子への瞬時充電量は同じとなる。つまり、上述した先願公報に記載のリセット駆動法は、１つの画素を担うＲＧＢの各ＥＬ素子に対しどれも同等の逆バイアス電圧及び瞬時充電量を与えるようにしている。
【００２６】
しかしながら、ＲＧＢ３つのＥＬ素子は、それぞれ固有の発光特性を持つものであり、より詳しくは、先の図３及び図４に示したグラフにおいてその特性曲線の立ち上がり閾値が各々異なるものである。
故に、図５ないし図８における赤用ＥＬ素子Ｅ２，２  及び緑用ＥＬ素子Ｅ３，２  に走査切換直後の状態において同一の逆バイアス電圧を印加すると、一方は瞬時充電量が適正であっても他方は不適正であったり、一方は瞬時充電量が足りない反面他方は過剰であったりするといった状態になってしまう。こうなると、ＲＧＢで同時に瞬時輝度の階調制御上のリニアリティを保つことができなくなる。
【００２７】
この点につき詳述すると、図９は、これまで説明したリセット駆動法による発光制御モードの態様と、当該モードに対応して陽極ドライブ回路２におけるドライブスイッチに個々に制御信号として供給されうる駆動パルスの態様とを示している。
図９に示されるように、発光制御モードは、陰極線Ｂ１  〜Ｂｍ  のうちのいずれかをアクティブにする期間である走査モードと、これに後続して図６の如き動作をなす期間であるリセットモードとに分けることができる。かかる走査モードとリセットモードは、画像データの１水平走査期間（１Ｈ）毎に行われる。
【００２８】
走査モードにおいて駆動パルスが高レベルを呈している間は、当該駆動パルスに対応するドライブスイッチ６１  〜６ｎ  のうちの１つがオンとされ、該当のＥＬ素子の発光が継続する。このときＥＬ素子に供給される駆動電流は、一定の値を呈する。
したがって、駆動パルスの高レベル期間が長ければ長い程ＥＬ素子の発光時間が長く、発光輝度を大ならしめることができる。故に、駆動パルス幅を長くすることにより明状態を作り、駆動パルス幅を短くすることにより暗状態を作ることができ、もって多段階の階調制御を達成することができる。
【００２９】
このような階調制御において、実際にＥＬ素子に印加される電圧波形を分析すると、図１０及び図１１の如くなる。
図１０は、走査回路１からの逆バイアス電圧ＶＢ  が当該ＥＬ素子の発光に必要な順方向駆動電圧ＶＤ  よりも小さいときにＥＬ素子に印加される電圧波形を示している。
【００３０】
これによれば、リセット後は逆バイアス電圧ＶＢ  によって立ち上がりエッジを呈するものの、逆バイアス電圧ＶＢ  が駆動電圧ＶＤ  よりも小さいが故に、駆動電圧ＶＤ  までの当該素子における充電が足りず、ドライブ回路２からの供給電流がその充電を後から追って補償するような形で逆バイアス電圧ＶＢ  の値から印加電圧が徐々に上昇することとなる。駆動電圧ＶＤ  に達した後は、駆動パルスが低レベルに立ち下がるまで安定した一定値の電圧がＥＬ素子に印加される。
【００３１】
これに対して図１１は、逆バイアス電圧ＶＢ  が駆動電圧ＶＤ  よりも大きいときにＥＬ素子に印加される電圧波形を示している。
これによれば、リセット後は逆バイアス電圧ＶＢ  によって立ち上がりエッジを呈するものの、逆バイアス電圧ＶＢ  が駆動電圧ＶＤ  よりも大きいが故に、過剰な印加電圧を当該素子に与えてしまう結果となり、ドライブ回路２からの駆動電流の供給においてその過剰分を後から追って吸収するような形で逆バイアス電圧ＶＢ  の値から印加電圧が徐々に下降することとなる。この場合も、駆動電圧ＶＤ  に達した後は駆動パルスが低レベルに立ち下がるまで安定した一定値の電圧がＥＬ素子に印加される。
【００３２】
ここで、図１０及び図１１にドットを付した部分は、それぞれ逆バイアス電圧ＶＢ  の供給に際して生じる印加電圧の不足分及び過剰分に相当する。ＥＬ素子は、不足分については、駆動電圧ＶＤ  に対応する輝度よりも小さい輝度にて発光し（或いは非発光となる）、過剰分については、駆動電圧ＶＤ  に対応する輝度よりも大きな輝度にて発光することとなる。
【００３３】
したがって、図９のように駆動パルスのパルス幅を変えることによって最大階調から最小階調まで線形的に輝度の制御をなさんとしても、このような不足分及び過剰分による非線形な発光がなされてしまうこととなる。これにより、発光輝度の階調のリニアリティが損なわれてしまう結果となる。
かかる不足分及び過剰分は、原色の１つ、例えば赤用のＥＬ素子についてだけ無くすことは容易である。しかしながら、図５ないし図８の構成は、異なる原色発光をなすＥＬ素子各々に対して同等の逆バイアス電圧を供給するものであるので、或る原色の発光をなすＥＬ素子には適正な逆バイアス電圧を供給することができても、他の原色の発光をなすＥＬ素子には不適正な逆バイアス電圧を供給してしまうこととなる。
【００３４】
また、不足分及び過剰分は、それらを相殺するべくＥＬ素子に流す駆動電流のレベルを変えることによっても補償可能ではあるが、図９に示したような発光時間の長短によって輝度階調をなすいわゆるＰＷＭ（パルス幅変調）による手法においては瞬時輝度を一定とすることが必要条件である。つまり、ＰＷＭ法は、一定の輝度の持続時間を変えることによって線形的な階調を得ることを期待するものであり、輝度が変動している状況では本来的に階調を線形とすることはできないのである。
【００３５】
【発明が解決しようとする課題】
本発明は、上述した点に鑑みてなされたものであり、その目的とするところは、Ｒ，Ｇ，Ｂの発光素子各々につき発光輝度の階調を線形に保つことのできるカラー表示装置及びカラー表示方法を提供することにある。
【００３６】
【課題を解決するための手段】
上記目的を達成するために、本発明による一態様の表示装置は、第１、第２及び第３の原色光に基づいてカラー表示をなすカラー表示装置であって、複数の第１電極線と、前記複数の第１電極線と間隙をもって交差する複数の第２電極線と、前記水平走査周期毎に前記複数の第１電極線のうちのいずれかを選択し、選択した前記第１電極線に所定電圧を印加するとともに、各前記水平走査周期内に前記複数の第２電極線の各々に所定電圧を印加する駆動部と、マトリクス状に配置されかつ各々が前記複数の第１電極線のうちのいずれか１つと前記複数の第２電極線のうちのいずれか１つとに接続されている複数の発光素子とを有し、前記複数の発光素子は、前記駆動部により前記第１及び第２電極線を介して供給される順方向電圧に応じて第１、第２及び第３の原色光をそれぞれ発する第１、第２及び第３の発光素子群からなり、前記駆動部は、前記発光素子群毎に異なる第１、第２及び第３の逆方向電圧をそれぞれ前記第１、第２及び第３の発光素子群に供給する電圧源を備えることを特徴としている。
【００３７】
この態様の表示装置において、前記発光素子は、前記順方向電圧が印加されることにより発光可能とする駆動電流が流れかつ前記逆方向電圧が印加されることによって当該駆動電流が遮断される特性を有することが好ましい。
【００３８】
また、前記複数の第２電極線は、前記第１、第２及び第３の発光素子群毎に独立に設けられた電極線からなるようにしても良い。
その場合、前記発光素子は、前記順方向電圧が印加されることにより発光可能とする駆動電流が流れかつ前記逆方向電圧が印加されることによって当該駆動電流が遮断される特性を有し、前記駆動部は、前記第２電極線に、前記第１、第２及び第３の発光素子群毎に前記順方向電圧を供給可能とすることができる。
【００３９】
さらに、各画素形成ブロックは、互いに隣接して配された前記第１、第２及び第３の発光素子の組によって構成され、前記駆動部は、前記複数の第１電極線のうち、前記水平走査周期毎に、前記画素形成ブロックの前記第１、第２及び第３の発光素子にそれぞれ接続されている３つの電極線を選択する手段と、前記第１、第２及び第３の発光素子に前記順方向電圧が供給されるよう選択された前記３つの電極線に所定電圧を印加する第２の電圧源とを備えるものとすることが可能である。
また、上記目的を達成するために、本発明による他の態様の表示装置は、第１、第２及び第３の原色光に基づいてカラー表示をなすカラー表示装置であって、複数の第１電極線と、前記複数の第１電極線と間隙をもって交差する複数の第２電極線と、前記水平走査周期毎に前記複数の第１電極線のうちのいずれかを選択し、選択した前記第１電極線に所定電圧を印加するとともに、各前記水平走査周期内に前記複数の第２電極線の各々に所定電圧を印加する駆動部と、マトリクス状に配置されかつ各々が前記複数の第１電極線のうちのいずれか１つと前記複数の第２電極線のうちのいずれか１つとに接続されている複数の発光素子とを有し、前記複数の発光素子は、前記駆動部により前記第１及び第２電極線を介して供給される順方向電圧に応じて第１、第２及び第３の原色光をそれぞれ発する第１、第２及び第３の発光素子群からなり、前記駆動部は、互いに異なる第１の逆方向電圧と第２の逆方向電圧とをそれぞれ前記第１の発光素子群と前記第２及び第３の発光素子群とに供給する電圧源を備えることを特徴としている。
【００４０】
この態様の表示装置において、前記発光素子は、前記順方向電圧が印加されることにより発光可能とする駆動電流が流れかつ前記逆方向電圧が印加されることによって当該駆動電流が遮断される特性を有することが好ましい。
【００４１】
また、前記複数の第２電極線は、前記第１の発光素子群のみに接続される電極線と、前記第２及び第３の発光素子群のみに接続される電極線とを含むようにすることもできる。
さらに、前記発光素子は、前記順方向電圧が印加されることにより発光可能とする駆動電流が流れかつ前記逆方向電圧が印加されることによって当該駆動電流が遮断される特性を有し、前記駆動部は、前記第２電極線に、前記第１の発光素子に対する前記順方向電圧と前記第２及び第３の発光素子に対する前記順方向電圧とを個別に供給可能とすることもできる。
【００４２】
また、各画素形成ブロックは、互いに隣接して配された前記第１、第２及び第３の発光素子の組によって構成され、前記駆動部は、前記複数の第１電極線のうち、前記水平走査周期毎に、前記画素形成ブロックの前記第１、第２及び第３の発光素子にそれぞれ接続されている３つの電極線を選択する手段と、前記第１、第２及び第３の発光素子に前記順方向電圧が供給されるよう選択された前記３つの電極線に所定電圧を印加する第２の電圧源とを備えるようにすることも可能である。
上述の態様において、前記駆動部は、前記複数の第１電極線のうち、非選択の電極線に前記逆方向電圧を供給することとしても良い。
【００４３】
また、前記発光素子には、有機ＥＬ素子が採用可能である。
また、前記第１の原色光を赤色光とし、前記第２の原色光を緑色光とし、前記第３の原色光を青色光とすることができる。
また、前記第１、第２及び第３の発光素子は、それぞれ赤色光、緑色光、青色光を発光するものとした、ＲＧＢ法に準ずる形態とすることもできる。
【００４４】
これとは異なり、前記第１、第２及び第３の発光素子は、それぞれ、光を赤色光、緑色光、青色光へ変換する色変換層を備えるものとした、ＣＣＭ法に準ずる形態とすることもできる。
また、上記の各形態の表示装置は、前記複数の発光素子の発光及び非発光のタイミングを示す制御信号を発生する発光制御回路と、前記制御信号に応じて前記複数の第２電極線にアース電位を印加するリセット回路と、を備えていてもよい。
なおさらに付言すれば、上述した各態様の表示装置は、本発明の思想を逸脱しない限り、方法や行程の態様で表すことは可能である。
【００４５】
【発明の実施の形態】
以下、本発明の実施の形態を図面に基づいて詳細に説明する。
図１２は、本発明の一実施例によるカラー表示装置の概略的な構成を示している。
図１２において、基本的に図５ないし図８の構成と異なる点は、走査線となりうる陰極線をＲＧＢ各々につき独立させ、これに接続するための逆バイアス電圧源もＲＧＢ各々につき独立させる点である。
【００４６】
さらに本実施例においては、ドライブ線（陽極線）もＲＧＢ各々につき独立させ、これに接続する駆動源（定電流源）もＲＧＢ各々につき独立させている。
詳述すると、第２電極線である陽極線ＡＲ１，ＡＧ１，ＡＢ１，ＡＲ２，ＡＧ２，ＡＢ２，…，ＡＲｎ，ＡＧｎ，ＡＢｎと第１電極線である陰極線ＢＲ１，ＢＧ１，ＢＢ１，ＢＲ２，ＢＧ２，ＢＢ２，…，ＢＲｍ，ＢＧｍ，ＢＢｍとは、各ＥＬ素子の一方の電極（図１の等価回路におけるダイオード成分Ｅの陽極とみなされる側の端子）と他方の電極（同等価回路におけるダイオード成分Ｅの陰極とみなされる側の端子）とがそれぞれ接続し易い形態で、例えば互いに直交するように配列される。
【００４７】
陽極線ＡＲ１，ＡＲ２，…，ＡＲｎと陰極線ＢＲ１，ＢＲ２，…，ＢＲｍは、赤色（Ｒ）の発光をなす有機ＥＬ素子Ｒ１，１  ，Ｒ２，１  ，…，Ｒｎ，ｍ  を専ら接続するためのマトリクスを形成し、陽極線ＡＧ１，ＡＧ２，…，ＡＧｎと陰極線ＢＧ１，ＢＧ２，…，ＢＧｍは、緑色（Ｇ）の発光をなす有機ＥＬ素子Ｇ１，１  ，Ｇ２，１  ，…，Ｇｎ，ｍ  を専ら接続するためのマトリクスを形成し、陽極線ＡＢ１，ＡＢ２，…，ＡＢｎと陰極線ＢＢ１，ＢＢ２，…，ＢＢｍは、青色（Ｂ）の発光をなす有機ＥＬ素子Ｂ１，１  ，Ｂ２，１  ，…，Ｂｎ，ｍ  のみを接続するためのマトリクスを形成する。有機ＥＬ素子Ｒ１，１  〜Ｒｎ，ｍ  は第１の発光素子に、有機ＥＬ素子Ｇ１，１  〜Ｇｎ，ｍ  は第２の発光素子に、有機ＥＬ素子Ｂ１，１  〜Ｂｎ，ｍ  は第３の発光素子にそれぞれ相当する。
【００４８】
かかるマトリクスにおいては、互いに隣接するＲＧＢ３つのＥＬ素子が組をなして１つのカラー画素ブロックが形成される。図１２においては、点線にて囲まれたＲＧＢのＥＬ素子の組がそれぞれカラー画素を形成しており、これらの画素は格子状に配列されることとなる。
陰極線走査回路１０は、各陰極線の電位を個々に定める機能を有するものであるが、ＲＧＢ各々についての逆バイアス電圧源（或いは各々につき独立した電圧供給をなす回路）を有してＲＧＢそれぞれに適合する逆バイアス電圧ＶＢＲ，ＶＢＧ，ＶＢＢを、対応する陰極線に供給するようにしている。
【００４９】
より詳しくは、陰極線ＢＲ１，ＢＲ２，…，ＢＲｍに対応する走査スイッチ１Ｒ１  〜１Ｒｍ  が、赤色発光ＥＬ素子Ｒ１，１  ，Ｒ２，１  ，…，Ｒｎ，ｍ  に適正な逆バイアス電圧ＶＢＲ  及びアース電位（０Ｖ）のうちのいずれか一方を、当該対応する陰極線に設定し、陰極線ＢＧ１，ＢＧ２，…，ＢＧｍに対応する走査スイッチ１Ｇ１  〜１Ｇｍ  が、緑色発光ＥＬ素子Ｇ１，１  ，Ｇ２，１  ，…，Ｇｎ，ｍ  に適正な逆バイアス電圧ＶＢＧ及びアース電位（０Ｖ）のうちのいずれか一方を、当該対応する陰極線に設定する。また、陰極線ＢＢ１，ＢＢ２，…，ＢＢｍに対応する走査スイッチ１Ｂ１  〜１Ｂｍ  が、青色発光ＥＬ素子Ｂ１，１  ，Ｂ２，１  ，…，Ｂｎ，ｍ  に適正な逆バイアス電圧ＶＢＢ  及びアース電位（０Ｖ）のうちのいずれか一方を、当該対応する陰極線に設定する。
【００５０】
陽極ドライブ回路２は、各陽極線を通じて駆動電流を各ＥＬ素子に個々に供給する機能を有するものであるが、ＲＧＢ各々について駆動電流の値を設定可能なようにしている。
より詳しくは、陽極線ＡＲ１，ＡＲ２，…，ＡＲｎに対応して電流源２Ｒ１  〜２Ｒｎ  が設けられ、それらの出力電流がドライブスイッチ６Ｒ１  〜６ｎを介して個々に陽極線ＡＲ１〜ＡＲｎに流れるように構成される。また、陽極線ＡＧ１，ＡＧ２，…，ＡＧｎに対応して電流源２Ｇ１  〜２Ｇｎ  が設けられ、それらの出力電流がドライブスイッチ６Ｇ１  〜６Ｇｎを介して個々に陽極線ＡＧ１〜ＡＧｎに流れるように構成される。さらに陽極線ＡＢ１，ＡＢ２，…，ＡＢｎに対応して電流源２Ｂ１  〜２Ｂｎ  が設けられ、それらの出力電流がドライブスイッチ６Ｂ１  〜６Ｂｎを介して個々に陽極線ＡＢ１〜ＡＢｎに流れるように構成される。
【００５１】
陽極線ＡＲ１，ＡＧ１，ＡＢ１，ＡＲ２，ＡＧ２，ＡＢ２，…，ＡＲｎ，ＡＧｎ，ＡＢｎはまた、陽極リセット回路３０と接続される。この陽極リセット回路３０は、陽極線毎に設けられたシャントスイッチ３Ｒ１  ，３Ｇ１  ，３Ｂ１  ，３Ｒ２  ，３Ｇ２  ，３Ｂ２  ，…，３Ｒｎ  ，３Ｇｎ  ，３Ｂｎ  を有し、該シャントスイッチがオンとされることによって陽極線をアース電位に設定する。
【００５２】
陰極線走査回路１０、陽極ドライブ回路２０及び陽極リセット回路３０の各々は、発光制御回路４０によって制御される。発光制御回路４０は、図示せぬ画像データ発生系から供給された画像データに応じて当該画像データが担う画像を表示させるべく各回路を制御するが、ＲＧＢそれぞれに対して独立した発光をなさしめる点で、先の図５ないし図８に記載のものとは異なる。
【００５３】
すなわち、陰極線走査回路１０に対しては、走査線選択制御信号を発生し、画像データの水平走査期間に対応する陰極線のいずれかを選択するが、かかる走査線選択制御信号は、隣接するＲＧＢ１組の走査線毎に走査スイッチを切換制御する。例えば、画像データの１フィールドにおける第１水平走査期間に対応する走査線として３つの陰極線ＢR1，ＢG1，ＢB1を選ぶべく、走査スイッチ１Ｒ1 ，１Ｇ1 ，１Ｂ1 の３つを同時にアース電位側に切り換えて当該３つの陰極線をアース電位に設定するとともに、その他の走査スイッチを逆バイアス電源側に切り換えて他の陰極線には逆バイアス電圧が印加されるような制御がなされる。
【００５４】
このように、走査回路１０においては、水平走査期間毎に隣接するＲＧＢ３つの陰極線の組が順次アース電位に切り換えられる線順次走査の制御がなされる。アース電位に設定された陰極線は、その陰極線に接続されたＥＬ素子を発光可能とする走査線として機能することとなる。
陽極ドライブ回路２０は、かかる走査線に対しての発光制御を行う。発光制御回路４０は、画像データが示す画素情報に従って当該走査線に接続されているＥＬ素子のどれをどのタイミングでどの程度の時間に亘って発光させるかについてを示すドライブ制御信号（駆動パルス）を発生し、陽極ドライブ回路２０に供給する。陽極ドライブ回路２０は、この制御信号に応じて、ドライブスイッチ６Ｒ１  〜６Ｂｎ  をオンオフ制御し、陽極線ＡＲ１  〜ＡＢｎを通じて画素情報に応じた該当ＥＬ素子への駆動電流の供給をなす。これにより、駆動電流の供給されたＥＬ素子は、当該画素情報に応じた発光をなすこととなる。
【００５５】
但し、本実施例によるドライブ回路２０は、ＲＧＢそれぞれに対して独立した発光をなさしめる点で、先の図５ないし図８に記載のドライブ回路２とは異なる。すなわち、発光制御回路４０が発生するドライブ回路２０への制御信号は、隣接するＲＧＢ１組の陽極線毎にドライブスイッチを切換制御する。例えば、画像データの１フィールドにおける第１水平走査期間内の先頭画素を発光させる場合、上述のように陰極線ＢＲ１，ＢＧ１，ＢＢ１がアクティブとなっている状態で、当該先頭画素に対応する陽極線として３つの陽極線ＡＲ１，ＡＧ１，ＡＢ１を選ぶべく、ドライブスイッチ６Ｒ１  ，６Ｇ１  ，６Ｂ１  の３つを同時にオンとして当該３つの陽極線に駆動電流を供給せしめるとともに、その他のドライブスイッチをオフとして他の陽極線には駆動電流が遮断されるような制御がなされる。
【００５６】
こうすることにより、陰極線ＢＲ１，ＢＧ１，ＢＢ１及び陽極線ＡＲ１，ＡＧ１，ＡＢ１
に接続されているＥＬ素子Ｒ１，１，Ｇ１，１，Ｂ１，１，を発光させることができ、これらＲＧＢの発光による１つのカラー画素の表示処理が達成されることとなる。
上述したような、走査回路１０とドライブ回路２０のＲＧＢ３系統の動作により、図１２に点線枠で示されるような画素の単位でＲＧＢの発光を行うことができる。
【００５７】
陽極リセット回路３０は、先述したようなリセット動作を行うためのものである。リセット動作は、発光制御回路４０からのリセット制御信号に応じて行われる。陽極リセット回路３０は、リセット制御信号が示すリセット対象の陽極線に対応するシャントスイッチ３Ｒ１  〜３Ｂｎ  のいずれかをオンしそれ以外はオフとする。
【００５８】
以上のような構成によれば、ＲＧＢ各々につき独立してＥＬ素子を発光駆動させることができるので、リセット駆動法における走査切換直後の状態（図７参照）において発光させるべき１つのカラー画素を形成するＲＧＢ３つのＥＬ素子には、個々に適正な逆バイアス電圧及び瞬時充電量を与えることができる。これにより、従来においては期待することのできなかった、ＲＧＢで同時に瞬時輝度の階調制御上のリニアリティの保持を達成することができる。
【００５９】
この点につき詳述すると、本実施例によれば、先の図９に示したような多段階の階調制御において実際にＥＬ素子に印加される電圧波形は、図１３のように表すことができる。
図１３において、実線は赤色発光のＥＬ素子に印加される電圧の波形を示し、一点鎖線は緑色発光の、点線は青色発光のＥＬ素子に印加される電圧の波形を示している。
【００６０】
この図から分かるように、走査回路１０において、赤色発光専用に設けられた駆動源によって逆バイアス電圧ＶＢＲがＥＬ素子の赤色発光に必要な順方向駆動電圧ＶＤＲと等しく設定されるので、発光されるべき赤色のＥＬ素子（Ｒ１，１  ，Ｒ２，１  ，…，Ｒｎ，ｍ  ）への充電に不足も過多も生じることなく、ドライブ回路２０から後続して供給される駆動電流により印加電圧が極端に変動することがない。そして駆動電圧ＶＤＲに達した後は、駆動パルスが低レベルに立ち下がるまで安定した一定値の電圧がＥＬ素子に印加されることとなる。
【００６１】
また、緑色発光や青色発光についても同様に、逆バイアス電圧ＶＢＧ，ＶＢＢがＥＬ素子の緑色発光，青色発光に必要な順方向駆動電圧ＶＤＧ，ＶＤＢと等しく設定されるので、発光されるべきＥＬ素子への充電に不足も過多も生じることなく、ドライブ回路２０から後続して供給される駆動電流により印加電圧が極端に変動することがない。そして駆動電圧ＶＤＧ，ＶＤＢに達した後は、駆動パルスが低レベルに立ち下がるまで安定した一定値の電圧がＥＬ素子に印加されることとなる。
【００６２】
したがって、ＲＧＢの各ＥＬ素子に対して、先の図１０及び図１１に示したようなドット部の如き素子印加電圧の不足分及び過剰分による非線形な発光を生じることがないので、発光輝度の階調のリニアリティを、ＲＧＢ各々につき同時に保つことができる。
故に、本実施例は、瞬時輝度を一定とすることが必要条件であるＰＷＭによる階調手法に好適であり、かかる手法により期待される線形的な階調を損なうことがない。
【００６３】
しかも、輝度階調の正確さだけでなく、ＲＧＢ各々につき発光駆動系が独立しているので、温度補償をなす際にも、ＲＧＢ個別に逆バイアス電圧や駆動電流の値を調整することができて好ましい。
なお、上記実施例においては、リセット駆動法に基づく制御態様を説明したが、通常のマトリクス駆動法に基づく制御態様に改変することも可能である。
【００６４】
また、上記実施例においては、ＲＧＢの各々を独立した逆バイアス電圧供給系及び駆動源にて発光制御する態様を説明したが、逆バイアス電圧供給系だけを独立させることができる。この思想は、本発明の比較的上位の技術思想に相当するものと言える。
また、順方向電圧を印加したときの輝度特性がＧとＲとでほぼ同様の場合には、逆バイアス電圧供給系及び／または駆動源を、Ｒについてのみ独立させ、Ｇ，Ｂについては共通とするようにしても良い。この場合、図１４に示されるようなグラフに基づいて駆動電圧が定まる。
【００６５】
図１４は、素子印加電圧Ｖに対する発光輝度Ｌの特性を示しており、Ｖ＝２０［Ｖ］時の赤用ＥＬ素子とＶ＝１５［Ｖ］時の緑及び青用ＥＬ素子は、同様の発光輝度を呈するものとして表されている。
緑及び青用ＥＬ素子は、このようなＶ−Ｌ特性において同等の発光をなすものとみなすことができるので、上記逆バイアス電圧ＶＢＲのみを１つの電圧源にて発生し、他の逆バイアス電圧ＶＢＧ及びＶＢＢを同一の電圧源にて発生するようにすることも可能である。
【００６６】
さらに、上記実施例においては、ＲＧＢ法による表示装置につき説明したが、本発明はこれに限らず、ＣＣＭ法による表示装置にも適用可能である。この場合、図１５に示されるようなグラフに基づいて駆動電圧が定まる。
図１５は、素子印加電圧Ｖに対する発光輝度Ｌの特性を示している。
ＣＣＭ法は、同種のＥＬ素子による発光光を赤色、緑色及び青色の光にそれぞれ変換する色変換層をディスプレイパネルに設けてフルカラー表示をなすものであり、赤色光の色変換層に対応して設けられたＥＬ素子、緑色光の色変換層に対応して設けられたＥＬ素子、青色光の色変換層に対応して設けられたＥＬ素子の各駆動電圧は、図１５に示されるドットに対応して定められる。
【００６７】
故に、このドット位置に対応して各ＥＬ素子に与える逆バイアス電圧が設定されるようにすれば良い。
また、上記実施例においては、有機ＥＬ素子を用いた装置につき説明したが、本発明は、他のＥＬ素子やこれに等価な素子に全く適用できないということはない。
【００６８】
この他にも、上記各実施例においては種々の手段または行程を限定的に説明したが、当業者の設計可能な範囲にて適宜改変することも可能である。
【００６９】
【発明の効果】
以上詳述したように、本発明によれば、Ｒ，Ｇ，Ｂの発光素子各々につき発光輝度の階調を線形に保つことのできるカラー表示装置及びカラー表示方法を提供することができる。
【図面の簡単な説明】
【図１】有機ＥＬ素子の等価回路を示す図である。
【図２】大略的にＥＬ素子の駆動電流−発光輝度特性を示すグラフである。
【図３】大略的にＥＬ素子の駆動電圧−駆動電流特性を示すグラフである。
【図４】大略的にＥＬ素子の駆動電圧−発光輝度特性を示すグラフである。
【図５】従来のＥＬ素子を用いた表示装置の構成及びこれに適用されるリセット駆動法を説明するための第１のブロック図である。
【図６】従来のＥＬ素子を用いた表示装置の構成及びこれに適用されるリセット駆動法を説明するための第２のブロック図である。
【図７】従来のＥＬ素子を用いた表示装置の構成及びこれに適用されるリセット駆動法を説明するための第３のブロック図である。
【図８】従来のＥＬ素子を用いた表示装置の構成及びこれに適用されるリセット駆動法を説明するための第４のブロック図である。
【図９】リセット駆動法による発光制御モードの態様及び階調制御の態様を示すタイムチャートである。
【図１０】従来例において逆バイアス電圧が不足する場合のＥＬ素子に実際に印加される電圧の概略的波形図である。
【図１１】従来例において逆バイアス電圧が過剰となる場合のＥＬ素子に実際に印加される電圧の概略的波形図である。
【図１２】本発明の一実施例によるカラー表示装置の概略的な構成を示すブロック図である。
【図１３】図１２のカラー表示装置において適正な逆バイアス電圧に設定されている場合のＥＬ素子に実際に印加される電圧の概略的波形図である。
【図１４】本発明の一実施例の改変例を説明するための、素子印加電圧−発光輝度特性を示すグラフである。
【図１５】本発明の一実施例の他の改変例を説明するための、素子印加電圧−発光輝度特性を示すグラフである。
【符号の説明】
１０  陰極線走査回路
１Ｒ１  〜１Ｒｍ  ，１Ｇ１  〜１Ｇｍ  ，１Ｂ１  〜１Ｂｍ    走査スイッチ
ＶＢＲ  赤色発光用逆バイアス電圧
ＶＢＧ  緑色発光用逆バイアス電圧
ＶＢＢ  青色発光用逆バイアス電圧
２０  陽極線ドライブ回路
２Ｒ１  〜２Ｒｎ  ，２Ｇ１  〜２Ｇｎ  ，２Ｂ１  〜２Ｂｎ    電流源
６Ｒ１  〜６ｎ  ，６Ｇ１  〜６Ｇｎ  ，６Ｂ１  〜６Ｂｎ  ドライブスイッチ
３０  陽極線リセット回路
３Ｒ１  〜３Ｒｎ  ，３Ｇ１  〜３Ｇｎ  ，３Ｂ１  〜３Ｂｎ    シャントスイッチ
Ｒ１，１  ，Ｒ２，１  ，…，Ｒｎ，ｍ    赤色発光ＥＬ素子
Ｇ１，１  ，Ｇ２，１  ，…，Ｇｎ，ｍ    緑色発光ＥＬ素子
Ｂ１，１  ，Ｂ２，１  ，…，Ｂｎ，ｍ    青色発光ＥＬ素子
４０  発光制御回路
【図１】
0003552150.tif 000002
【図２】
0003552150.tif 000003
【図３】
0003552150.tif 000004
【図４】
0003552150.tif 000005
【図５】
0003552150.tif 000006
【図６】
0003552150.tif 000007
【図７】
0003552150.tif 000008
【図８】
0003552150.tif 000009
【図９】
0003552150.tif 000010
【図１０】
0003552150.tif 000011
【図１１】
0003552150.tif 000012
【図１２】
0003552150.tif 000013
【図１３】
0003552150.tif 000014
【図１４】
0003552150.tif 000015
【図１５】
0003552150.tif 000016